(57)【要約】【課題】携帯電話機などの携帯機器に元々搭載されている高速赤外線通信機能を、その通信可能距離が短いという欠点を補いつつ最大限に活用することができ、これにより、携帯電話などに格納されている画像データ等の容量の大きいデータでも、ユーザが、離れたところから携帯機器を遠隔操作することにより、テレビ等に高速に転送して視聴可能にする。【解決手段】携帯電話機２０、テレビ１０、および該テレビ１０のリモコン装置３０を含む赤外線通信システム１００において、該携帯電話機２０を、該テレビ１０の赤外線送信リモコン装置３０との間で低速赤外線通信を行う赤外線通信部２８を有するものとし、該携帯電話機２０をリモコン装置３０により遠隔操作して、該携帯電話機２０に格納されている画像データを高速赤外線通信によりテレビ１０に送信するようにした。【選択図】図１
2009130857.tif 000002
【特許請求の範囲】
【請求項１】
赤外線通信機能を有する携帯機器であって、
表示装置を含む情報機器との間で高速赤外線通信を行う第１の赤外線通信部と、
家電機器を遠隔操作するための赤外線送信リモコン装置との間で低速赤外線通信を行う第２の赤外線通信部と、
該家電機器に対する所定のリモコンコードを記憶する記憶部と、
該第２の赤外線通信部で受信したリモコンコードが、該記憶部に記憶されている所定のリモコンコードと一致したとき、該第１の赤外線通信部から該情報機器にデータが送信されるよう該第１の赤外線通信部を制御する制御部とを備えた携帯機器。
【請求項２】
請求項１に記載の携帯機器において、
前記制御部は、前記第２の赤外線通信部で受信したリモコンコードが、前記記憶部に記憶されている所定のリモコンコードと一致するか否かを判別するコード判別部を有する携帯機器。
【請求項３】
請求項１に記載の携帯機器において、
前記第１の赤外線通信部と前記第２の赤外線通信部とは、該第１の赤外線通信部の赤外線出力面を前記情報機器側に向けたとき、該第２の赤外線通信部の赤外線入力面が、該情報機器とは反対側に向くよう配置されている携帯機器。
【請求項４】
請求項１に記載の携帯機器において、
前記記憶部は、画像データを記憶しており、
前記第１の赤外線通信部は、該記憶部に記憶されている画像データが、前記情報機器の表示装置で表示されるよう、該画像データを前記高速赤外線通信により該情報機器に送信する携帯機器。
【請求項５】
請求項４に記載の携帯機器において、
前記家電機器は、前記表示装置を有する情報機器と同一のものであり、前記第２の赤外線通信部へのリモコンコードの送信には、該情報機器の赤外線送信リモコン装置が用いられる携帯機器。
【請求項６】
請求項５に記載の携帯機器において、
前記情報機器は、テレビジョン放送信号を受信するテレビジョン受像機であり、該テレビジョン受像機は、前記第１の赤外線通信部との間で高速赤外線通信を行う高速赤外線通信部と、該テレビジョン受像機の赤外線送信リモコン装置との間で低速赤外線通信を行う低速赤外線受信部とを有する携帯機器。
【請求項７】
請求項４に記載の携帯機器において、
前記家電機器は、前記表示装置を有する情報機器とは別の機器であり、前記第２の赤外線通信部へのリモコンコードの送信には、該情報機器とは別の機器の赤外線送信リモコン装置が用いられる携帯機器。
【請求項８】
請求項７に記載の携帯機器において、
前記家電機器の赤外線送信リモコン装置は、テレビジョン放送信号を受信するテレビジョン受像機のリモコン装置であり、
前記情報機器は、種々のソフトウエアに従って動作するパーソナルコンピュータであり、該パーソナルコンピュータは、前記第１の赤外線通信部との間で高速赤外線通信を行う高速赤外線通信部を有する携帯機器。
【請求項９】
携帯機器を構成する電子回路を半導体基板上に形成してなる半導体集積回路であって、
該電子回路は、
表示装置を含む情報機器との間で高速赤外線通信を行う第１の赤外線通信部と、
家電機器を遠隔操作するための赤外線送信リモコン装置との間で低速赤外線通信を行う第２の赤外線通信部と、
該家電機器に対する所定のリモコンコードを記憶する記憶部と、
該第２の赤外線通信部で受信したリモコンコードが、該記憶部に記憶されている所定のリモコンコードと一致したとき、該第１の赤外線通信部から該情報機器にデータが送信されるよう該第１の赤外線通信部を制御する制御部とを含む半導体集積回路。
【請求項１０】
請求項９に記載の半導体集積回路において、
前記制御部は、前記第１の赤外線通信部で受信したリモコンコードが、前記記憶部に記憶されている所定のリモコンコードと一致するか否かを判別するコード判別部を有する半導体集積回路。
【請求項１１】
請求項９に記載の半導体集積回路において、
前記記憶部は、画像データを記憶するものであり、
前記第１の赤外線通信部は、該記憶部に記憶されている画像データが、前記情報機器の表示装置で表示されるよう、該画像データを前記高速赤外線通信により該情報機器に送信するものである半導体集積回路。
【請求項１２】
表示装置を有する情報機器と、
家電機器を遠隔操作するための赤外線送信リモコン装置と、
赤外線通信機能を有する携帯機器とを備え、
該携帯機器と該赤外線通信リモコン装置との間で低速赤外線通信を行い、該携帯機器と該情報機器との間で高速赤外線通信を行う赤外線通信システム。
【請求項１３】
請求項１２に記載の赤外線通信システムにおいて、
前記家電機器は、前記表示装置を有する情報機器と同一のものであり、前記携帯機器へのリモコンコードの送信には、該情報機器の赤外線送信リモコン装置が用いられる赤外線通信システム。
【請求項１４】
請求項１３に記載の赤外線通信システムにおいて、
前記表示装置を有する情報機器は、テレビジョン放送信号を受信するテレビジョン受像機であり、
前記赤外線通信リモコン装置は、該テレビジョン受像機を遠隔操作するものであり、
該テレビジョン受像機は、前記第１の赤外線通信部との間で高速赤外線通信を行う高速赤外線通信部と、該赤外線送信リモコン装置との間で低速赤外線通信を行う低速赤外線受信部とを有する赤外線通信システム。
【請求項１５】
請求項１４に記載の赤外線通信システムにおいて、
前記携帯機器は、無線通信を行う携帯電話機であり、
該携帯電話機は、前記テレビジョン受像機との間で高速赤外線通信を行う第１の赤外線通信部と、該テレビジョン受像機の赤外線送信リモコン装置との間で低速赤外線通信を行う第２の赤外線通信部とを有する赤外線通信システム。
【請求項１６】
請求項１４に記載の赤外線通信システムにおいて、
前記携帯機器は、種々のゲームソフトを実行可能に構成された携帯専用ゲーム機であり、
該携帯専用ゲーム機は、前記テレビジョン受像機との間で高速赤外線通信を行う第１の赤外線通信部と、該テレビジョン受像機の赤外線送信リモコン装置との間で低速赤外線通信を行う第２の赤外線通信部とを有する赤外線通信システム。
【請求項１７】
請求項１２に記載の赤外線通信システムにおいて、
前記家電機器は、前記表示装置を有する情報機器とは別の機器であり、該情報機器へのリモコンコードの送信には、該情報機器とは別の機器の赤外線送信リモコン装置が用いられる赤外線通信システム。
【請求項１８】
請求項１７に記載の赤外線通信システムにおいて、
前記家電機器の赤外線送信リモコン装置は、前記情報機器としてのテレビジョン受像機を遠隔操作するものであり、
前記表示装置を有する情報機器は、種々のソフトウエアに従って動作するパーソナルコンピュータであり、
該パーソナルコンピュータは、前記携帯機器の第１の赤外線通信部との間で高速赤外線通信を行う高速赤外線通信部を有する赤外線通信システム。
【請求項１９】
請求項１８に記載の赤外線通信システムにおいて、
前記携帯機器は、無線通信を行う携帯電話機であり、
該携帯電話機は、前記パーソナルコンピュータとの間で高速赤外線通信を行う第１の赤外線通信部と、前記テレビジョン受像機の赤外線送信リモコン装置との間で低速赤外線通信を行う第２の赤外線通信部とを有する赤外線通信システム。
【請求項２０】
請求項１８に記載の赤外線通信システムにおいて、
前記携帯機器は、種々のゲームソフトを実行可能に構成された携帯専用ゲーム機であり、
該携帯専用ゲーム機は、前記パーソナルコンピュータとの間で高速赤外線通信を行う第１の赤外線通信部と、該テレビジョン受像機の赤外線送信リモコン装置との間で低速赤外線通信を行う第２の赤外線通信部とを有する赤外線通信システム。
【発明の詳細な説明】
【技術分野】
【０００１】
本発明は、携帯機器、半導体集積回路、および赤外線通信システムに関し、特に、赤外線通信機能付き携帯電話などの多機能化した携帯機器を、該携帯機器に格納されている画像がテレビジョン受像機（以下、テレビという。）などの表示装置を有する情報機器に表示されるよう、該テレビなどのリモートコントローラ（以下、リモコンという。）を用いて制御するものに関する。
【背景技術】
【０００２】
赤外線機能付き携帯電話機を用いた赤外線通信システムでは、該携帯電話機に備わっている近距離赤外線通信機能によって、該携帯電話機に内蔵されている画像データやその他のデータを、他の赤外線通信機能付き装置へ自由に転送することが可能となっている。ここで、近距離赤外線通信機能は、例えば、ＩｒＤＡ（Ｉｎｆｒａｒｅｄ  Ｄａｔａ  Ａｓｓｏｃｉａｔｉｏｎ）やＩｒＳｉｍｐｌｅといった赤外線通信規格に準拠したものであり、その通信可能な距離は１ｍ程度である。
【０００３】
また、中距離赤外線通信機能では、その通信可能な距離は１０ｍ程度であり、一般に、このような中距離赤外線通信を行う赤外線送信リモートコントロール機能によりテレビ等の遠隔制御も可能である。
【０００４】
さらに、デジタルカメラや携帯情報端末などの携帯機器では、赤外線等の無線通信機能がない場合でも、ＵＳＢ（Ｕｎｉｖｅｒｓａｌ  Ｓｅｒｉａｌ  Ｂｕｓ）等の有線によるデータ通信により、あるいはＳＤカード（Ｓｅｃｕｒｅ  Ｄｉｇｉｔａｌ  ｍｏｍｏｒｙ  ｃａｒｄ）等の外部メモリを用いて、画像データやその他のデータを転送することも可能である。
【０００５】
また、テレビを見るときにテレビをリモコン装置で操作するような感覚での簡単なリモコン操作で、携帯電話機に保存されている画像をテレビに表示させようとした場合、赤外線通信機能は有用であるが、特にＩｒＳｉｍｐｌｅ等の規格に準拠した高速赤外線通信機能が必要となってくる。
【０００６】
しかし、このような高速赤外線通信機能には、その特性上、通信距離が短いという欠点がある。
【０００７】
ところで、特許文献１には、携帯電話機を通常のリモコンとして活用する技術が開示されており、この場合、テレビなどを離れた場所から携帯電話機で遠隔操作することができる。
【特許文献１】特許第３８７２０５２号明細書
【発明の開示】
【発明が解決しようとする課題】
【０００８】
しかしながら、特許文献１に記載のように、携帯電話機をテレビなどのリモコンとして活用する場合、テレビと携帯電話機との間でのリモコン操作のための赤外線通信は、通常の中距離赤外線通信機能、つまり低速赤外線通信機能により問題なく行うことができるが、画像送信等の通信を行う場合は、伝送するデータ量が多いため、赤外線によるデータ通信を高速で行う必要が生じ、このような赤外線による高速データ通信を行う場合は、高速赤外線通信の特性上、通信距離を短くしなければならい。従って、この特許文献１に開示の、携帯電話を通常のリモコンとして活用する方法においても、画像データなどの赤外線通信は短距離間でしか行うことができないという問題点がある。
【０００９】
本発明は、上記のような問題点に鑑みてなされたもので、携帯電話などの携帯機器が有する高速赤外線通信機能を、その通信可能距離が短いという欠点を補いつつ最大限に活用することができ、これにより、携帯電話などに格納されている画像データ等の容量の大きいデータでも、ユーザが、離れたところからの遠隔操作でテレビ等に高速に転送して視聴することができる携帯機器、このような携帯機器を実現する半導体集積回路、およびこのような携帯機器を含む赤外線通信システムを提供することを目的とする。
【課題を解決するための手段】
【００１０】
本発明に係る携帯機器は、赤外線通信機能を有する携帯機器であって、表示装置を含む情報機器との間で高速赤外線通信を行う第１の赤外線通信部と、家電機器を遠隔操作するための赤外線送信リモコン装置との間で低速赤外線通信を行う第２の赤外線通信部と、該家電機器に対する所定のリモコンコードを記憶する記憶部と、該第２の赤外線通信部で受信したリモコンコードが、該記憶部に記憶されている所定のリモコンコードと一致したとき、該第１の赤外線通信部から該情報機器にデータが送信されるよう該第１の赤外線通信部を制御する制御部とを備えたものであり、そのことにより上記目的が達成される。
【００１１】
本発明は、上記携帯機器において、前記制御部は、前記第２の赤外線通信部で受信したリモコンコードが、前記記憶部に記憶されている所定のリモコンコードと一致するか否かを判別するコード判別部を有することが好ましい。
【００１２】
本発明は、上記携帯機器において、前記第１の赤外線通信部と前記第２の赤外線通信部とは、該第１の赤外線通信部の赤外線出力面を前記情報機器側に向けたとき、該第２の赤外線通信部の赤外線入力面が、該情報機器とは反対側に向くよう配置されていることが好ましい。
【００１３】
本発明は、上記携帯機器において、前記記憶部は、画像データを記憶しており、前記第１の赤外線通信部は、該記憶部に記憶されている画像データが、前記情報機器の表示装置で表示されるよう、該画像データを前記高速赤外線通信により該情報機器に送信することが好ましい。
【００１４】
本発明は、上記携帯機器において、前記家電機器は、前記表示装置を有する情報機器と同一のものであり、前記第２の赤外線通信部へのリモコンコードの送信には、該情報機器の赤外線送信リモコン装置が用いられることが好ましい。
【００１５】
本発明は、上記携帯機器において、前記情報機器は、テレビジョン放送信号を受信するテレビジョン受像機であり、該テレビジョン受像機は、前記第１の赤外線通信部との間で高速赤外線通信を行う高速赤外線通信部と、該テレビジョン受像機の赤外線送信リモコン装置との間で低速赤外線通信を行う低速赤外線受信部とを有することが好ましい。
【００１６】
本発明は、上記携帯機器において、前記家電機器は、前記表示装置を有する情報機器とは別の機器であり、前記第２の赤外線通信部へのリモコンコードの送信には、該情報機器とは別の機器の赤外線送信リモコン装置が用いられることが好ましい。
【００１７】
本発明は、上記携帯機器において、前記家電機器の赤外線送信リモコン装置は、テレビジョン放送信号を受信するテレビジョン受像機のリモコン装置であり、前記情報機器は、種々のソフトウエアに従って動作するパーソナルコンピュータであり、該パーソナルコンピュータは、前記第１の赤外線通信部との間で高速赤外線通信を行う高速赤外線通信部を有することが好ましい。
【００１８】
本発明に係る半導体集積回路は、携帯機器を構成する電子回路を半導体基板上に形成してなる半導体集積回路であって、該電子回路は、表示装置を含む情報機器との間で高速赤外線通信を行う第１の赤外線通信部と、家電機器を遠隔操作するための赤外線送信リモコン装置との間で低速赤外線通信を行う第２の赤外線通信部と、該家電機器に対する所定のリモコンコードを記憶する記憶部と、該第２の赤外線通信部で受信したリモコンコードが、該記憶部に記憶されている所定のリモコンコードと一致したとき、該第１の赤外線通信部から該情報機器にデータが送信されるよう該第１の赤外線通信部を制御する制御部とを含むものであり、そのことにより上記目的が達成される。
【００１９】
本発明は、上記半導体集積回路において、前記制御部は、前記第１の赤外線通信部で受信したリモコンコードが、前記記憶部に記憶されている所定のリモコンコードと一致するか否かを判別するコード判別部を有することが好ましい。
【００２０】
本発明は、上記半導体集積回路において、前記記憶部は、画像データを記憶するものであり、前記第１の赤外線通信部は、該記憶部に記憶されている画像データが、前記情報機器の表示装置で表示されるよう、該画像データを前記高速赤外線通信により該情報機器に送信するものであることが好ましい。
【００２１】
本発明に係る赤外線通信システムは、表示装置を有する情報機器と、家電機器を遠隔操作するための赤外線送信リモコン装置と、赤外線通信機能を有する携帯機器とを備え、該携帯機器と該赤外線通信リモコン装置との間で低速赤外線通信を行い、該携帯機器と該情報機器との間で高速赤外線通信を行うものであり、そのことにより上記目的が達成される。
【００２２】
本発明は、上記赤外線通信システムにおいて、前記家電機器は、前記表示装置を有する情報機器と同一のものであり、前記携帯機器へのリモコンコードの送信には、該情報機器の赤外線送信リモコン装置が用いられることが好ましい。
【００２３】
本発明は、上記赤外線通信システムにおいて、前記表示装置を有する情報機器は、テレビジョン放送信号を受信するテレビジョン受像機であり、前記赤外線通信リモコン装置は、該テレビジョン受像機を遠隔操作するものであり、該テレビジョン受像機は、前記第１の赤外線通信部との間で高速赤外線通信を行う高速赤外線通信部と、該赤外線送信リモコン装置との間で低速赤外線通信を行う低速赤外線受信部とを有することが好ましい。
【００２４】
本発明は、上記赤外線通信システムにおいて、前記携帯機器は、無線通信を行う携帯電話機であり、該携帯電話機は、前記テレビジョン受像機との間で高速赤外線通信を行う第１の赤外線通信部と、該テレビジョン受像機の赤外線送信リモコン装置との間で低速赤外線通信を行う第２の赤外線通信部とを有することが好ましい。
【００２５】
本発明は、上記赤外線通信システムにおいて、前記携帯機器は、種々のゲームソフトを実行可能に構成された携帯専用ゲーム機であり、該携帯専用ゲーム機は、前記テレビジョン受像機との間で高速赤外線通信を行う第１の赤外線通信部と、該テレビジョン受像機の赤外線送信リモコン装置との間で低速赤外線通信を行う第２の赤外線通信部とを有することが好ましい。
【００２６】
本発明は、上記赤外線通信システムにおいて、前記家電機器は、前記表示装置を有する情報機器とは別の機器であり、該情報機器へのリモコンコードの送信には、該情報機器とは別の機器の赤外線送信リモコン装置が用いられることが好ましい。
【００２７】
本発明は、上記赤外線通信システムにおいて、前記家電機器の赤外線送信リモコン装置は、前記情報機器としてのテレビジョン受像機を遠隔操作するものであり、前記表示装置を有する情報機器は、種々のソフトウエアに従って動作するパーソナルコンピュータであり、該パーソナルコンピュータは、前記携帯機器の第１の赤外線通信部との間で高速赤外線通信を行う高速赤外線通信部を有することが好ましい。
【００２８】
本発明は、上記赤外線通信システムにおいて、前記携帯機器は、無線通信を行う携帯電話機であり、該携帯電話機は、前記パーソナルコンピュータとの間で高速赤外線通信を行う第１の赤外線通信部と、前記テレビジョン受像機の赤外線送信リモコン装置との間で低速赤外線通信を行う第２の赤外線通信部とを有することが好ましい。
【００２９】
本発明は、上記赤外線通信システムにおいて、前記携帯機器は、種々のゲームソフトを実行可能に構成された携帯専用ゲーム機であり、該携帯専用ゲーム機は、前記パーソナルコンピュータとの間で高速赤外線通信を行う第１の赤外線通信部と、該テレビジョン受像機の赤外線送信リモコン装置との間で低速赤外線通信を行う第２の赤外線通信部とを有することが好ましい。
【００３０】
以下、本発明の作用について説明する。
【００３１】
本発明においては、赤外線通信機能を有する携帯機器において、表示装置を含む情報機器との間で高速赤外線通信を行う第１の赤外線通信部と、家電機器の赤外線送信リモコン装置との間で低速赤外線通信を行う第２の赤外線通信部と、該家電機器に対する所定のリモコンコードを記憶する記憶部とを備え、該第２の赤外線通信部で受信したリモコンコードが、該記憶部に記憶されている所定のリモコンコードと一致したとき、該第１の赤外線通信部から該情報機器にデータが送信されるよう該第１の赤外線通信部を制御するので、赤外線送信リモコン装置との赤外線通信が可能な携帯機器をテレビなどの情報機器に近接して配置することで、該携帯機器が有する高速赤外線通信機能を、その通信可能距離が短いという欠点を補いつつ最大限に活用することができる。これにより、携帯機器に格納されている画像データ等の容量の大きいデータでも、ユーザが、離れたところから該携帯機器を遠隔操作して、テレビ等に高速に転送して視聴することができる。
【００３２】
また、本発明においては、前記第１の赤外線通信部と前記第２の赤外線通信部とを、該第１の赤外線通信部の赤外線出力面を前記情報機器側に向けたとき、該第２の赤外線通信部の赤外線入力面が、該情報機器とは反対側に向くよう配置しているので、指向性を有する赤外線信号を、携帯機器と情報機器との間、および携帯機器と赤外線送信リモコン装置との間で効率よく送信することができる。
【００３３】
また、本発明においては、携帯機器を、赤外線送信リモコン装置との間で低速赤外線通信を行う赤外線通信部を有する構成とし、該携帯機器を赤外線送信リモコン装置により遠隔操作するようにしているので、表示装置を有する情報機器に、該携帯機器との間で高速赤外線通信を行う赤外線通信機能を持たせることにより、表示装置を有しているがリモコン装置は有していないような情報機器、例えば、パーソナルコンピュータなどにも、テレビの赤外線通信リモコン装置で携帯機器を遠隔操作することで、該携帯機器に格納されている画像データをパーソナルコンピュータに送信して表示させることができる。
【００３４】
また本発明においては、上記携帯機器を構成する電子回路を半導体基板上に形成しているので、携帯機器の電子回路部分を１つのチップで構成することが可能である。
【００３５】
また本発明においては、表示装置を有する情報機器と、家電機器の赤外線送信リモコン装置と、赤外線通信機能を有する携帯機器とを備えた赤外線通信システムにおいて、該携帯機器と該赤外線通信リモコン装置との間で低速赤外線通信を行い、該携帯機器と該情報機器との間で高速赤外線通信を行うようにしているので、赤外線送信リモコン装置との赤外線通信が可能な携帯機器をテレビなどの情報機器に近接して配置することで、携帯電話など携帯機器本来の長所である手軽さを損なうことなく、携帯電話などが保有する赤外線通信の付加機能によって、携帯電話に保存された画像データやその他のデータをテレビなどに送信して表示させる場合に通信距離が短くなるという欠点を補うことができる。
【００３６】
言い換えると、通常のテレビのリモコン装置を操作する感覚で、携帯電話などの携帯機器の手軽な操作で、携帯機器に保存された画像データやその他のデータをテレビなどに表示させることができる。
【発明の効果】
【００３７】
以上のように、本発明によれば、携帯電話機などの携帯機器を、家電機器の赤外線送信リモコン装置との間で低速赤外線通信を行う赤外線通信部を有するものとし、該携帯機器を表示装置を有するテレビやパーソナルコンピュータなどの情報機器に近接配置することにより、携帯電話機などの携帯機器に元々搭載されている高速赤外線通信機能を、その通信可能距離が短いという欠点を補いつつ最大限に活用することができ、これにより、携帯電話などに格納されている画像データ等の容量の大きいデータでも、ユーザが、離れたところから携帯機器を遠隔操作することにより、テレビ等に高速に転送して視聴可能にすることができる。
【発明を実施するための最良の形態】
【００３８】
以下、本発明の実施形態について説明する。
【００３９】
（実施形態１）
図１は、本発明の実施形態１による赤外線通信システムを説明する概略図であり、ここでは、赤外線通信システムとして、携帯電話機を用いた携帯電話システムを示している。
【００４０】
図１に示す携帯電話システム１００は、テレビジョン放送信号を受信するテレビジョン受像機（以下、テレビともいう。）１０と、該テレビジョン受像機を低速赤外線通信により遠隔制御する低速赤外線送信リモコン装置（以下、リモコン装置ともいう。）３０と、無線通信を行う携帯電話機２０とを備えている。ここで、該リモコン装置３０は、該テレビ１０との間で、また携帯電話機２０との間で低速赤外線通信を行い、該テレビ１０および該携帯電話機２０に対する命令を示す赤外線送信リモコンコードを送信するものである。
【００４１】
ここでは、例えば、テレビ１０と携帯電話機２０とは、１ｍ程度に近接して配置し、リモコン装置３０の操作は、携帯電話機２０から１０ｍ程度離れた位置で行うものとする。
【００４２】
また、赤外線には指向性があることから、赤外線通信を効率よく行うため、図１に示すように、携帯電話機２０は、その高速赤外線通信（送信）を行う端面はテレビ側に向き、その低速赤外線通信（受信）がテレビ側とは反対側に向くよう配置している。
【００４３】
図２は、この実施形態１の携帯電話システムで用いる携帯電話機を説明するブロック図である。
【００４４】
該携帯電話機２０は、無線信号を送受信するためのアンテナ２１と、無線ネットワーク（図示せず）との間で無線通信を行う無線通信部２３と、情報を記憶するメモリ部２４とを有し、該メモリ部２４は、システムプログラムおよび赤外線通信などの各付加機能に必要なデータを記憶する記憶装置である。ここで、システムプログラムは、本赤外線通信システムにおける携帯電話機２０の動作をプログラムしたものであり、該記憶装置は、このようなシステムプログラムとともに、上記リモコン装置からの赤外線送信リモコンコードを判別するための比較用リモコンコードも記憶するものである。
【００４５】
また、上記携帯電話機２０は、操作ボタン等によるキー入力判定部である操作部２５と、液晶ディスプレイ等の表示装置を含み、該表示装置により画像表示を行う表示部２２と、上記低速赤外線送信リモコン装置３０から送信された、所定の命令を示すリモコンコードを含む赤外線信号ＬＩｒを受信する低速赤外線受信部（赤外線通信部ＩＩ２８と、該低速赤外線受信部２８で受信された赤外線信号ＬＩｒに含まれるリモコンコードに基づいて、該テレビ１０との間で高速赤外線通信を行う高速赤外線通信部（赤外線通信部Ｉ）２７と、携帯電話機２０全体の各動作を制御する制御部（ＣＰＵ）２６とを有している。
【００４６】
ここで、該赤外線通信部２７は、ＩｒＤＡ、ＩｒＳｉｍｐｌｅなどの双方向の赤外線通信を、高速赤外線信号ＨＩｒにより行うものである。また、赤外線通信部２８は、リモコン装置３０からの低速赤外線信号ＬＩｒを受信し、該低速赤外線信号ＬＩｒに含まれているリモコンコードを制御部２６に出力するものである。そして、該制御部２６には、上記表示部２２、無線通信部２３、メモリ部２４、操作部２５、赤外線通信部２７、および赤外線通信部２８が接続されており、該制御部２６は、各周辺回路とのインターフェイス、つまり上記表示部２２、通信部２３、メモリ２４、操作部２５、赤外線通信部２７、および赤外線通信部２８との間でのデータアクセスをコントロールするものである。例えば、該制御部２６は、赤外線通信部２８で受信された赤外線信号に含まれるリモコンコードを受け、予めメモリ部２４に記憶された比較用リモコンコードと一致するかどうか判別し、一致する場合のみ指定された制御を行うものである。ここでは、該制御部２６は、該リモコンコードが一致したとき、該メモリ部２４に格納されている画像データがテレビ１０に送信されるよう、メモリ部２４および赤外線通信部２７を制御するものである。
【００４７】
また、上記携帯電話機２０を構成する、無線通信部２３、メモリ部２４、操作部２５、赤外線通信部２７、および赤外線通信部２８は、半導体基板上に形成されており、該携帯電話機２０の電子回路部分は１つの半導体チップで構成されている。なお、該携帯電話機２０の電子回路部分は、１チップ構成に限らず、２チップ以上の複数の半導体チップで構成してもよい。
【００４８】
図３は、上記実施形態１の携帯電話システムで用いるテレビジョン受像機の構成を示すブロック図である。
【００４９】
該テレビジョン受像機１０は、テレビジョン放送信号Ｓｔｖを受信するアンテナ１１と、該アンテナで受信したテレビジョン放送信号を選局するチューナ部１２と、該選局されたテレビジョン放送信号から映像情報および音声情報を抽出する検波部１３と、該映像情報を処理して映像信号を出力する映像処理部１４ａと、該映像信号に基づいて画像表示を行う表示部１５ａと、上記音声情報を処理して音声信号を出力する音声処理部１４ｂと、該音声信号に基づいて音声を生成する音声出力部１５ｂとを有している。ここで、表示部１５ａはディスプレイ装置であり、音声出力部１５ｂはスピーカである。
【００５０】
また、該テレビ１０は、操作ボタン等によるキー入力判定部である操作部１０ａと、上記リモコン装置３０から出力された低速赤外線信号ＬＩｒを受信する低速赤外線通信部１６ｂと、上記携帯電話機２０から出力された高速赤外線信号ＨＩｒを受信する高速赤外線通信部１６ａと、該入力部１０ａでの操作により発生した操作信号、および該低速赤外線通信部１６ｂで受信された赤外線信号に含まれるリモコンコードに基づいて、上記チューナ部１２および映像処理部１４ａを制御する制御部１３とを有している。なお、該制御部１３は、入力部１０ａあるいはリモコン装置３０からの信号により、音量調整や画面の明さ調整などが行われるよう、音声出力部１５ｂおよび表示部１５ａを制御するものであることは言うまでもない。また、ここでは、制御部１０ｂは、高速赤外線通信部１６ａで携帯電話機２０との間で高速赤外線通信が行われているときは、受信した赤外線信号に含まれるデータが表示部１５ａに出力されるよう映像処理部１４ａを制御するものとしている。
【００５１】
次に動作について説明する。
【００５２】
図４は、本実施形態１による携帯電話システムの動作を説明する図であり、テレビのリモコン装置により携帯電話機を遠隔操作して、該携帯電話機に格納されている画像データを該テレビに表示させる動作のフローチャートを示している。
【００５３】
まず、使用者が携帯電話機２０の操作部２５の電源ボタンを操作すると、制御部２６は、該携帯電話機の電源（図示せず）をオンする（ステップＳ１）。その後、低速赤外線通信部２８がテレビのリモコン装置３０から出力された低速赤外線信号ＬＩｒを受信したとき、該制御部２６は、該受信した低速赤外線信号ＬＩｒに含まれているリモコンコードと比較する比較用コードがメモリ部２４に格納されているか否かを判定する（ステップＳ２）。この比較用コードがメモリ部２４に記憶されていない場合、該制御部２６はメモリ部２４に、該リモコン装置から送信されたリモコンコードを比較用コードとして記憶させる（ステップＳ３）、その後、制御部２６は入力待ち状態となる（ステップＳ４）。この比較用コードは、所定の低速赤外線通信用リモコンコードを受信した場合に、高速の赤外線通信制御を行うべきか否かを判定するためのコードであり、予めメモリ部２４に記憶させておく必要がある。ただし、ここでは、メモリ部２４に比較用コードが記憶されていないときは、最初に送信されたリモコンコードが比較用コードとしてメモリ部２４に記憶されることとなるため、テレビの表示に影響を与えないようなリモコンコード、例えば、音量の調整ボタンに対応するリモコンコードを送信するのが望ましい。
【００５４】
一方、上記比較用コードがメモリ部２４に記憶されている場合、該制御部２６は入力待ち状態となり（ステップＳ４）、その後、低速赤外線通信部２８がリモコン装置３０からの低速赤外線信号ＬＩｒを受信し、該制御部２６が、該受信した低速赤外線信号ＬＩｒに含まれるリモコンコードを受け付けると（ステップＳ５）、該制御部２６は、該受け付けたリモコンコードが、該メモリ部２４に格納されている比較用コードと一致しているかどうかを判定する（ステップＳ６）。
【００５５】
受け付けたリモコンコードが該比較用コードと一致している場合は、該制御部２６は、低速赤外線通信部２８で受信したリモコンコードに対応する高速赤外線通信が行われるよう、上記メモリ部２４および高速赤外線通信部２７を制御する（ステップＳ７）。つまり、制御部２６は、携帯電話機２０のメモリ部２４に格納されている画像データを読み出し、読み出した画像データを高速赤外線通信部２７に転送し、さらに該制御部２６は、該高速赤外線通信部２７が該画像データを高速赤外線信号ＨＩｒによりテレビ１０に転送するよう該高速赤外線通信部２７を制御する。
【００５６】
すると、テレビ１０では、その高速赤外線通信部１６ａが上記携帯電話機２０からの高速赤外線信号ＨＩｒを受信し、該高速赤外線信号ＨＩｒに含まれる画像情報を映像処理部１４ａに出力するとともに、該高速赤外線通信部１６ａは、上記テレビ１０の制御部１０ｂに、高速赤外線信号ＨＩｒの受信中であることを通知する。すると、該制御部１０ｂは、高速赤外線通信部１６ａからの画像データを表示部１５ａに映像処理部１４ｂを制御する。これにより、表示部１５ａでは、携帯電話機２０に格納されている画像データが表示されることとなる。
【００５７】
そして、上記制御部２６は、赤外線通信部２７における高速赤外線通信による画像データの送信が終了したか否かを判定し（ステップＳ８）、該画像データの送信が終了していない場合は、高速赤外線通信による画像データの送信を続行する（ステップＳ７）。一方、上記ステップＳ８での判定の結果、該画像データの送信が終了している場合は、電源オフボタンが操作されているといったユーザ入力に基づいて、画像データの赤外線通信を終了するか否かの判定を行う（ステップＳ９）。このステップＳ９での判定の結果、ユーザ入力により通信終了をすべきと判定したとき、電源をオフする（ステップＳ１０）。
【００５８】
このような構成の本実施形態１の携帯電話システム１００では、携帯電話機２０は、通常ＩｒＤＡやＩｒＳｉｍｐｌｅなどの規格対応の高速赤外線通信機能を保有するので、それに対応した赤外線通信機能を保有するテレビへ画像データ等を該携帯電話機２０から無線で高速に転送可能であり、これによりテレビの表示画面に携帯電話機に格納されている画像データを拡大して表示することができる。
【００５９】
また、高速赤外線通信によるデータ転送では、送信側機器と受信側機器とを近づけないといけないという制約を受けるが、携帯電話機２０は、テレビ１０を制御するためのリモコン装置３０から赤外線通信用リモコンコードを受信する赤外線受信部２８を有しているので、該携帯電話機２０をテレビ１０の近くに配置しても、該携帯電話機２０を離れた場所からリモコン操作することができ、これにより、該リモコン装置３０により携帯電話機２０を制御して、該携帯電話機２０に格納されている画像データを、テレビ１０に高速赤外線通信により転送し、その表示装置にて表示させることが可能である。このように、リモコン３０を操作することによって、ユーザは離れたところから、しかも高速に携帯電話機の格納画像をテレビに転送することができ、その結果、テレビの表示装置にて、携帯電話機２０の内蔵カメラ等で撮影して得られた画像を拡大して見ることが可能となる。
【００６０】
また、赤外線には指向性があることから、図１に示すように、携帯電話機２０の高速赤外線信号の送信面は、携帯電話機本体に対してテレビの位置する側を向き、リモコン装置３０からの赤外線信号の受信面は、携帯電話機本体に対してテレビとは反対側を向くように、携帯電話機２０を配置することにより、通信動作を最も効率よく行うことが可能となる。
【００６１】
このように本実施形態１では、赤外線通信機能付き携帯電話を含む赤外線通信システムにおいて、特に多機能化した携帯電話の画像送信等を行う赤外線通信機能を使用して、携帯電話機に内蔵されている画像データをテレビに表示する際、使用者は、離れた場所から、テレビのリモコン装置にて携帯電話機をリモートコントロールして、携帯電話機に格納されている画像データをテレビに表示させることができる。
【００６２】
また、図１に示すように、携帯電話機２０を、その高速赤外線通信（送信）を行う端面がテレビ側に向き、その低速赤外線通信（受信）がテレビ側とは反対側に向くよう配置しているので、赤外線に指向性があることから、携帯電話機２０とテレビ１０との間での高速赤外線通信、さらに携帯電話機２０とリモコン装置３０との間での低速赤外線通信を効率よく行うことができる。
【００６３】
なお、上記実施形態は、携帯電話機２０の内蔵カメラ等で撮影して得られた画像をテレビ１０に転送してその表示装置に拡大表示するシステムを示したが、このようなシステムでは、カメラ等による撮影画像だけでなく、例えば、多機能化する携帯電話機２０でそのゲーム機能により表示されるゲーム画面をテレビの表示装置に拡大表示させ、リモコン装置３０で携帯電話機２０を遠隔操作して、携帯電話機２０に搭載されたゲームを楽しむことも可能である。
【００６４】
また、上記実施形態１では、携帯機器として携帯電話機を含む赤外線通信システムを示したが、該携帯機器は、携帯専用ゲーム機であってもよく、以下、実施形態２として、携帯専用ゲーム機を含む赤外線通信システムについて説明する。
（実施形態２）
図５は、本発明の実施形態２による赤外線通信システムを説明する概略図である。
【００６５】
この実施形態２の赤外線通信システム１００ａは、携帯機器として専用ゲーム機４０を用い、テレビ１０のリモコン装置３０を用いて該専用ゲーム機４０を遠隔操作して、該専用ゲーム機４０の表示部４２に表示される画像を、テレビ１０の表示装置に拡大表示する携帯機器システムである。
【００６６】
すなわち、図５に示す本実施形態２の携帯機器システム１００ａは、テレビジョン放送信号を受信するテレビジョン受像機（以下、テレビという。）１０と、該テレビ１０を低速赤外線通信により遠隔制御する低速赤外線送信リモコン装置（以下、リモコン装置ともいう。）３０と、各種ゲームを行うためのソフトウエアが組み込まれた携帯専用ゲーム機器４０とを備えている。ここで、該リモコン装置３０は、該テレビ１０との間で、また携帯専用ゲーム機器４０との間で低速赤外線通信を行い、該テレビ１０および該携帯専用ゲーム機４０に対して、所定の命令を示す赤外線送信リモコンコードを送信するものである。ここで、テレビ１０およびリモコン装置３０は上記実施形態１のものと同一である。
【００６７】
図６は、この実施形態２の携帯機器システム１００ａで用いる携帯専用ゲーム機４０を説明するブロック図である。
【００６８】
この携帯専用ゲーム機４０は、各種ゲームを行うソフトウエアとしてのプログラムを記憶するメモリ部４４を有しており、該メモリ部４４は記憶装置である。該メモリ部４４は、ソフトウエアとしてのプログラムの他に、システムプログラムおよび赤外線通信などの各付加機能に必要なデータを記憶するものである。該システムプログラムは、本携帯機器システムにおける携帯専用ゲーム機４０の動作をプログラムしたものであり、また、上記メモリ部４４としての記憶装置は、このようなシステムプログラムとともに、上記リモコン装置３０からの赤外線送信リモコンコードを判別するための比較用リモコンコードも記憶するものである。
【００６９】
また、上記携帯専用ゲーム機４０は、操作ボタン等によるキー入力判定部である操作部４５と、液晶ディスプレイ等の表示装置を含み、該表示装置により画像表示を行う表示部４２と、上記低速赤外線送信リモコン装置３０から送信された、所定の命令を示すリモコンコードを含む赤外線信号ＬＩｒを受信する低速赤外線受信部（赤外線通信部ＩＩ）４８と、該低速赤外線受信部４８で受信された赤外線信号ＬＩｒに含まれるリモコンコードに応じて、該テレビ１０との間で高速赤外線通信を行う高速赤外線通信部（赤外線通信部Ｉ）４７と、携帯専用ゲーム機４０全体の各動作を制御する制御部（ＣＰＵ）４６とを有している。
【００７０】
ここで、該赤外線通信部４７は、ＩｒＤＡ、ＩｒＳｉｍｐｌｅなどの双方向の赤外線通信を、高速赤外線信号ＨＩｒにより行うものである。また、赤外線通信部４８は、テレビのリモコン装置からの低速赤外線信号ＬＩｒを受信し、該低速赤外線信号ＬＩｒに含まれているリモコンコードを制御部４６に出力するものである。そして、該制御部４６には、上記表示部４２、メモリ部４４、操作部４５、赤外線通信部４７、および赤外線通信部４８が接続されており、該制御部４６は、各周辺回路とのインターフェイス、つまり上記表示部４２、メモリ４４、操作部４５、赤外線通信部４７、および赤外線通信部４８との間でのデータアクセスをコントロールするものである。
【００７１】
例えば、該制御部４６は、赤外線通信部４８で受信された赤外線信号ＬＩｒに含まれるリモコンコードを受け、予めメモリ部４４に記憶されている比較用コードと一致するかどうか判別し、一致する場合のみ指定された制御を行うものである。ここでは、該制御部４６は、該リモコンコードが一致したとき、該メモリ部４４に格納されている画像データがテレビに送信されるよう、メモリ部４４および赤外線通信部４７を制御するものである。
【００７２】
次に動作について説明する。
【００７３】
このような構成の携帯機器システムにおいても、上記実施形態１の携帯電話システムと同様、動作開始時に、リモコン装置３０から携帯専用ゲーム機４０に送信された所定のリモコンコードを比較用コードとしてメモリ部４４に記憶しておく。
【００７４】
そして、その後、使用者がリモコン装置３０の操作により、該リモコン装置３０から該携帯専用ゲーム機４０にリモコンコードを含む低速赤外線信号ＬＩｒを送信すると、携帯専用ゲーム機４０の赤外線通信部ＩＩ４８で該低速赤外線信号ＬＩｒが受信され、該低速赤外線信号ＬＩｒに含まれるリモコンコードが制御部４６に供給される。すると、該制御部４６では、供給されたリモコンコードがメモリ部４４に記憶されている比較用コード、つまり、画像データの転送を指令するリモコンコードと一致するか否かの判定を行う。そして、両者が一致したときのみ、該制御部４６は、メモリ部４４に格納されている画像データを読み出して赤外線通信部４７に供給する。赤外線通信部４７は、供給された画像データを高速赤外線信号ＨＩｒによりテレビ１０に送信する。このようにして、テレビ１０に転送された画像データは、その表示装置にて表示される。
【００７５】
このように本実施形態２では、低速赤外線通信機能および高速赤外線通信機能を有するテレビ１０と、該テレビ１０を低速赤外線通信により遠隔操作するリモコン装置３０と、高速赤外線通信機能（赤外線通信部Ｉ）４７および低速赤外線通信機能（赤外線通信部ＩＩ）４８を有する携帯専用ゲート機４０とにより赤外線通信システム（携帯機器システム）１００ａを構成し、該携帯機器システムにて、テレビ１０から例えば１ｍ程度の距離に配置した携帯専用ゲーム機４０を、例えば１０ｍ程度離れたところから該リモコン装置３０により遠隔操作して、該携帯専用ゲーム機４０の表示部４２に表示される画像を、高速赤外線通信によりテレビ１０に転送するようにしたので、携帯機器である携帯専用ゲーム機４０が元々保有する高速赤外線通信機能の通信可能距離が短いという欠点を補いつつ、ユーザは離れたところからの遠隔操作で、携帯専用ゲーム機の高速赤外線通信機能を最大限に活用でき、携帯専用ゲーム機における画像等の容量の大きいデータでも高速にテレビに転送して試聴することが可能となる。
（実施形態３）
図７は、本発明の実施形態３による赤外線通信システムを説明する概略図である。
【００７６】
この実施形態３の赤外線通信システム１００ｂは、携帯機器として携帯電話機２０を用い、テレビのリモコン装置３０を用いて携帯電話機２０を遠隔操作して、該携帯電話機２０に格納されている画像をパーソナルコンピュータ５０の表示装置に拡大表示する携帯電話システムである。
【００７７】
すなわち、図７に示す本実施形態３の赤外線通信システム（携帯機器システム）１００ｂは、種々のソフトウエアに従って各種演算処理や制御を行うパーソナルコンピュータ（以下、パソコンという。）５０と、テレビ（図示せず）を低速赤外線通信により遠隔操作する低速赤外線送信リモコン装置（以下、リモコン装置ともいう。）３０と、無線通信を行う携帯電話機２０とを備えている。ここで、該リモコン装置３０は、該携帯電話機２０との間で低速赤外線通信を行い、該携帯電話機２０に対する命令を示す赤外線送信リモコンコードを送信するものである。ここで、該携帯電話機２０は、実施形態１の携帯電話システムにおけるものと同一であるので、パーソナルコンピュータの構成について以下詳述する。
【００７８】
図８は、上記実施形態３の携帯電話システムで用いるパーソナルコンピュータ（以下パソコンという。）の構成を示すブロック図である。
【００７９】
該パソコン５０は、各種演算処理や制御を行うパソコン本体５０ａと、該パソコン本体５０ａに接続された複数の入力装置５２ａ〜５２ｃと、該パソコン本体５０ａに接続された複数の出力装置５３ａ〜５３ｃとを有している。ここで、上記パソコン本体５０ａは、制御装置５１ａと演算装置５１ｂとからなる中央演算処理装置（ＣＰＵ）５１と、主記憶装置５０ｂとを有している。上記制御装置５１ａは、命令制御、記憶制御、入出力制御などを行うもの、上記演算装置５１ｂは算術演算、論理演算、比較などの演算処理を行うものであり、上記主記憶装置５０ｂは、プログラムやデータを記憶し、ＣＰＵ５１の要求に応じてＣＰＵ５１との間でデータの送受を行うものである。
【００８０】
また、上記入力装置５２ａは高速赤外線通信部５２ａであり、入力装置５２ｂおよび５２ｃはキーボードおよびマウスである。また、出力装置５３ａ，５３ｂ，および５３ｃは、スピーカ，ディスプレイ，およびプリンタである。
【００８１】
ここで、上記高速赤外線通信部５２ａは、上記携帯電話機２０からの高速赤外線信号ＨＩｒを受信して、該赤外線信号により送信された画像データを主記憶装置５０ｂに出力するものである。また、上記ＣＰＵ５１は、高速赤外線通信部５２ａから主記憶装置５０ｂに供給された画像データがディスプレイ５３ｂにて表示されるよう、主記憶装置５０ｂを制御するものである。
【００８２】
次に動作について説明する。
【００８３】
このような構成の携帯電話システム１００ｂにおいても、上記実施形態１の携帯電話システム１００と同様、動作開始時に、リモコン装置３０から携帯電話機２０に送信された所定のリモコンコードを比較用コードとして、該携帯電話機２０のメモリ部２４（図２参照）に記憶しておく。
【００８４】
そして、その後、使用者がリモコン装置３０の操作により、該リモコン装置３０から該携帯電話機２０に、画像データの転送を指令するリモコンコードを含む低速赤外線信号を送信すると、携帯電話機２０の赤外線通信部２８（図２参照）で該低速赤外線信号ＬＩｒが受信され、該低速赤外線信号ＬＩｒに含まれるリモコンコードが制御部２６（図２参照）に供給される。すると、該制御部２６では、供給されたリモコンコードがメモリ部２４に記憶されている比較用コードと一致するか否かの判定を行う。そして、両者が一致したときのみ、該制御部２６は、メモリ部２４に格納されている画像データを読み出して赤外線通信部２７に供給する。赤外線通信部２７は、供給された画像データを高速赤外線信号ＨＩｒによりパソコン５０に送信する。
【００８５】
すると、該パソコン５０では、高速赤外線通信部５２ａで該高速赤外線信号ＨＩｒを受信し、該高速赤外線信号ＨＩｒに含まれる画像データを主記憶装置５０ｂに出力する。するとＣＰＵ５０ａの制御により、該主記憶装置５０ｂに格納された画像データがディスプレイ５３ｂに出力され、ここで画像表示される。
【００８６】
このように本実施形態３では、高速赤外線通信機能を有するパソコン５０と、テレビなどを低速赤外線通信により遠隔操作するリモコン装置３０と、高速赤外線通信機能（赤外線通信部Ｉ）２７および低速赤外線通信機能（赤外線通信部ＩＩ）２８を有する携帯電話機２０とにより赤外線通信システム（携帯機器システム）１００ｂを構成し、該携帯電話システム１００ｂにて、該リモコン装置３０から送信される低速赤外線信号により、パソコン５０に近接配置した携帯電話機２０を遠隔制御して、該携帯電話機２０に格納されている画像データを、高速赤外線通信によりパソコン５０に転送するようにしたので、携帯電話機など携帯機器本来の長所である手軽さを損なうことなく、携帯電話機などが保有する赤外線通信の付加機能によって、携帯電話機に保存された画像データやその他のデータをパソコン５０の表示部に表示させることができる。
【００８７】
なお、上記実施形態１〜３では、赤外線通信システムにおいて、携帯電話機や携帯専用ゲーム機などの携帯機器を遠隔操作するためのリモコン装置として、テレビのリモコン装置を示したが、携帯機器を遠隔操作するためのリモコン装置は、テレビ以外の情報機器、例えば音響装置やビデオレコーダなどを遠隔操作するリモコン装置であっても、あるいはその他の家電機器、例えば、照明器具や扇風機などを遠隔操作するためのリモコン装置であってもよい。
【００８８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【産業上の利用可能性】
【００８９】
本発明は、携帯機器、半導体集積回路、および赤外線通信システムの分野において、携帯電話機などの携帯機器を、家電機器の赤外線送信リモコン装置との間で低速赤外線通信を行う赤外線通信部を有するものとし、該携帯機器を表示装置を持つテレビやパーソナルコンピュータなどの情報機器に近接配置することにより、携帯電話機などの携帯機器に元々搭載されている高速赤外線通信機能を、その通信可能距離が短いという欠点を補いつつ最大限に活用することができ、これにより、携帯電話などに格納されている画像データ等の容量の大きいデータでも、ユーザが、離れたところから携帯機器を遠隔操作することにより、テレビ等に高速に転送して視聴可能にすることができる。
【図面の簡単な説明】
【００９０】
【図１】図１は、本発明の実施形態１による赤外線通信システムを説明する概略図であり、該携帯機器として携帯電話機を示している。
【図２】図２は、上記実施形態１の赤外線通信システムで用いる携帯電話機の構成を示すブロック図である。
【図３】上記実施形態１の赤外線通信システムで用いるテレビジョン受像機の構成を示すブロック図である。
【図４】図４は、上記実施形態１の赤外線通信システムにおける赤外線通信の動作をフローチャートで説明する図である。
【図５】本発明の実施形態２による赤外線通信システムを説明する概略図であり、該システムにおける携帯機器として携帯専用ゲーム機を示している。
【図６】上記実施形態２の赤外線通信システムで用いる携帯専用ゲーム機の構成を示すブロック図である。
【図７】本発明の実施形態３による赤外線通信システムを説明する図であり、該システムにおける携帯機器として携帯専用ゲーム機の構成を示すブロック図である。
【図８】上記実施形態３の赤外線通信システムで用いるパーソナルコンピュータの構成を説明するブロック図である。
【符号の説明】
【００９１】
１０  テレビジョン受像機
１０ａ  入力部
１０ｂ  制御部
１１  アンテナ
１２  チューナ部
１３  検波部
１４ａ  映像処理部
１４ｂ  音声処理部
１５ａ，２２，４２  表示部
１５ｂ  音声出力部
１６ａ  高速赤外線通信部
１６ｂ  低速赤外線通信部
２０  携帯機器
２１  アンテナ
２２  表示部
２３  無線通信部
２４，４４  メモリ部
２５，４５  操作部
２６，４６  制御部
２７，４７  赤外線通信部Ｉ
２８，４８  赤外線通信部ＩＩ
３０  低速赤外線送信リモコン装置（リモコン装置）
４０  携帯専用ゲーム機
５０  パーソナルコンピュータ（パソコン）
１００，１００ｂ  携帯電話システム（赤外線通信システム）
１００ａ  ゲーム機システム（赤外線通信システム）
ＨＩｒ  高速赤外線信号
ＬＩｒ  低速赤外線信号
Ｓｔｖ  テレビジョン放送信号
【図１】
2009130857.tif 000003
【図２】
2009130857.tif 000004
【図３】
2009130857.tif 000005
【図４】
2009130857.tif 000006
【図５】
2009130857.tif 000007
【図６】
2009130857.tif 000008
【図７】
2009130857.tif 000009
【図８】
2009130857.tif 000010